(57)【要約】【課題】  見本用の眼鏡を用意しなくても、装飾体を眼鏡に取り付けた見本を展示するのとほぼ同等に機能させることにより、低廉な費用で且つ少ないスペースで、装飾体の見本を展示することができる、眼鏡の装飾体の見本展示具を提供する。【解決手段】    眼鏡のレンズと同様又は略同様の形状及び寸法を有する板状部材２に、眼鏡のレンズに取り付けられる装飾体３を取り付けるための透孔５、及び、板状部材２の周縁端面２Ａに開放する切欠９を設ける。【選択図】  図１
0003130689.tif 000002
【実用新案登録請求の範囲】
【請求項１】
眼鏡のレンズと同様又は略同様の形状及び寸法を有する板状部材に、眼鏡のレンズに取り付けられる装飾体を取り付けるための透孔、及び、前記板状部材の周縁端面に開放する切欠を設けたことを特徴とする、眼鏡の装飾体の見本展示具。
【考案の詳細な説明】
【技術分野】
【０００１】
本考案は眼鏡の装飾体の見本展示具に関する。
【背景技術】
【０００２】
眼鏡の新規な商品特性としての新たな構造、美観を創出するために、宝石等からなる装飾体をレンズに取り付けるようにすることが提案されている。この装飾体は、例えば、所望の形状、デザインに加工した宝石をレンズに固定するものである。このような装飾体は、例えば、眼鏡のレンズに取り付けられた状態で、又は、眼鏡とは別売りで販売される。なお、展示具に関して例えば特開平７−２４１２２８号公報がある。
【特許文献１】特開平７−２４１２２８号公報
【考案の開示】
【考案が解決しようとする課題】
【０００３】
そして、販売の際には、需要者の購入意欲を喚起させる等の理由から、予め装飾体を取り付けた状態の眼鏡を商品の見本として展示する、即ちショーウインドー、カウンター等に展示することが行われる。その場合、装飾体の素材、デザインは多種多様であるから、商品見本としての眼鏡も展示効果上相当多数用意しなければならないことになる。しかしながら、そのようにすると、見本のための費用が嵩むとともに、販売場所の限られたスペースを大きく占めるという問題が生じることになる。
【０００４】
本考案は、前述のような問題に鑑みてなされたものであり、その目的とするところは、見本用の眼鏡を用意しなくても、装飾体を眼鏡に取り付けた見本を展示するのとほぼ同等に機能させることにより、低廉な費用で且つ少ないスペースで、装飾体の見本を展示することができる、眼鏡の装飾体の見本展示具を提供することである。
【課題を解決するための手段】
【０００５】
前記の目的を達成するために、本考案に係る眼鏡の装飾体の見本展示具は、眼鏡のレンズと同様又は略同様の形状及び寸法を有する板状部材に、眼鏡のレンズに取り付けられる装飾体を取り付けるための透孔、及び、前記板状部材の周縁端面に開放する切欠を設けたことを特徴とするものである。
【考案の効果】
【０００６】
本考案によれば、低廉な費用で、装飾体を取り付けた眼鏡を見本として展示する場合とほぼ同等の展示効果をもって装飾体の見本を展示することができるので、眼鏡の需要者による装飾体の選択、購入、検討等に資することができ、且つ、販売者側においては販売場所を有効に活用することができる、という効果を奏する。
【考案を実施するための最良の形態】
【０００７】
以下、図面に基づいて本考案の最良の実施の形態について詳細に説明する。
図１は本考案の実施の形態に係る眼鏡の装飾体の見本展示具を概念的に示す斜視図である。
【０００８】
符号１で表される本考案の見本展示具は、眼鏡のレンズと同様又は略同様の形状及び寸法を有する板状部材２に、眼鏡のレンズに取り付けられる装飾体３を取り付けるための透孔５及び、板状部材２の周縁端面２Ａに開放する切欠９を設けたものである。
【０００９】
より詳しく述べると、板状部材２は、その素材、色彩、光沢等は眼鏡のレンズの質感を与えるものが需要者への展示効果から望ましく、例えば、素材としては、無色透明のプラスチックが使用される。
【００１０】
装飾体３は、例えば、図示のように、例えば宝石からなる装飾部材６Ａの背面側に軸部６Ｂが突設された装飾主体６と、押さえ部７Ａの前面側に、軸部６Ｂが差し込まれる筒状部７Ｂが突設された、例えばシリコン樹脂製の止め部材７とからなり、筒状部７Ｂに軸部６Ｂを差し込むことによって、軸部６Ｂが筒状部７Ｂのシリコン樹脂の弾発作用により筒状部７Ｂに押圧された状態で装飾主体６と止め部材７とが結合するようになっている。
【００１１】
板状部材２には、ここでは複数の円形の透孔５が、眼鏡においてレンズに装飾体が取り付けられる位置例えば図示のようにレンズの正面側から見て右下隅部の位置に対応する位置及びその他の位置に設けられている。透孔５は、装飾体３の筒状部７Ｂの反発力が透孔に作用するように、筒状部７Ｂの内径より僅か小さい径に形成してある。
【００１２】
切欠９は、例えば、見本展示具１の使用態様の一つとして例えば後述するように展示スタンドを併用する場合をも考慮して設けられたものであり、ここではスリット状に形成されており、その形状及び寸法は、その展示スタンドの支持フレームに係合するように設定されている。
【００１３】
前述のように構成された見本展示具１は、次のように使用する。即ち、板状部材２の背面側から透孔５に止め部材７の筒状部７Ｂを挿入した後、板状部材２の表側から装飾主体６の軸部６Ｂを筒状体７Ｂに挿入すると、止め部材７の筒状部７Ｂの反発力によって装飾主体６の軸部６Ｂが加圧されて保持された状態で、装飾主体６と止め部材７とが結合した装飾体３が板状部材２に取り付けられた状態となる。このようにして装飾体３が取り付けられた見本展示具１は、その状態で装飾主体６を表側にして、例えば、販売場所のショーウインドーに収容したり、カウンタの上にそのまま置いたり、又は、何らかの支持部材によって例えば板状部材２の背面側を支えた状態で立てかけるようにする。
【００１４】
また、見本展示具１は、板状部材２に前述のように切欠９を設けてあるから、前述したところとは別の展示方法が可能である。即ち、例えば、図に示すような展示スタンド１０に立設された支持フレーム１０Ａに切欠９を係合させた形で使用することもできる。その場合、支持フレーム１０Ａには、異なる素材、デザインの装飾体をそれぞれ取り付けた複数個の見本展示具を並べて係合することも勿論可能である。見本展示具１は、切欠９を利用してこのように展示スタンド１０等の補助具に固定すると、前述のように単にカウンター等の上に置く場合と異なり、常に定位置に保持し易いので、陳列時の取り扱いが楽である。
【００１５】
このようにして、見本展示具１に取り付けられた装飾体３は、例えば需要者の希望により、止め部材７を透孔５から引き抜くことにより装飾主体６と止め部材７とを離反させて板状部材２から取り外して、別の透孔５に取り付けることもできる。また、このように取り外した装飾体３に替えて別の装飾体をもとの透孔５に取り付けることもできる。
【００１６】
そして、眼鏡の装飾体３が眼鏡の販売場所に提示されると、前述のように板状部材２は眼鏡のレンズと同様又は略同様の形状及び寸法を有しているところから、需要者は、板状部材２及び装飾体３を見た時に、実際の眼鏡に装飾体が取り付けられた状態を容易に想像することができ、従って、購入意欲の喚起、購入の検討、決定等をすることができる。
【００１７】
また、眼鏡の販売場所においては、状況に応じて、多種多様な素材、デザインからなる装飾体を一つの又は複数の板状部材２に着脱して適宜交換して提示することが行われるが、板状部材のコストは一つであれ複数個であれ眼鏡に比して極めて低いから、眼鏡の販売上費用効果が高く極めて有利である。また、この見本展示具１によれば、装飾体３が取り付けられる板状部材２は、眼鏡に比し占有容積が数分の一で済むから、販売、保管等の場所の占有率が極めて低く、至って好都合である。
【００１８】
本考案は、前記実施の形態に限定されるものではなく、本考案の要旨を逸脱しない範囲内で種々の改変が可能である。例えば、前記透孔の形状は装飾体の構造によっては円形に限られず、他の形状とし、また、板状部材に設ける透孔の数は前記実施の形態においては複数であるが、一つであってもよく、更に、透孔を設ける位置も適宜変更が可能である。また、前記切欠は、実施の形態に示したようなスリット状に限定されるものではなく、例えば、展示スタンド等の併用物における係合部の形状に応じて、例えば、円弧状に形成することもできる。
【図面の簡単な説明】
【００１９】
【図１】本考案の実施の形態に係る眼鏡の装飾体の見本展示具を概念的に示す斜視図である。
【符号の説明】
【００２０】
１      見本展示具
２      板状部材
２Ａ    周縁端面
５      透孔
９      切欠
【図１】
0003130689.tif 000003